(57)【要約】  【課題】  圧板部を開放するときの開放する力による連れ動きに、読取ユニットの開閉力を軽減するためのダンパ等の軽減手段の作用がプラスされるような場合でも、不用意に読取ユニットが開くことを防止できる画像読取記録装置を提供する。  【解決手段】  被記録材に画像を記録する記録ユニット３と、記録ユニットに開閉可能に配され、原稿を載置する原稿台２３と原稿台に原稿を押し付ける圧板部６とを有する読取ユニット２と、を備える。読取ユニットを閉じた状態に規制可能な規制手段２７を設ける。圧板部が閉じた状態で規制手段が解除され、圧板部が開いた状態で規制手段が作動する。【選択図】  図１０
2008053883.tif 000002
【特許請求の範囲】
【請求項１】
画像情報に基づいて被記録材に画像を記録する記録ユニットと、該記録ユニットに対して開閉可能に配され、原稿を載置する原稿台と、該原稿台に原稿を押し付ける圧板部と、を有する読取ユニットと、を備えた画像読取記録装置において、
前記原稿台に対して前記圧板部が開いたときに、前記記録ユニットに対して前記読取ユニットが開くことを規制する規制手段を設けることを特徴とする画像読取記録装置。
【請求項２】
前記規制手段は、爪部を有する回転可能な規制レバーと、前記爪部に係合可能な固定フックと、を有することを特徴とする請求項１に記載の画像読取記録装置。
【請求項３】
画像情報に基づいて画像を記録する記録ユニットと、該記録ユニットに対して開閉可能に配され、原稿を載置する原稿台と、該原稿台に原稿を押し付ける圧板部と、を有する読取ユニットと、を備えた画像読取記録装置において、
前記記録ユニットに対して前記読取ユニットを閉じた状態で係合する係合手段と、
前記原稿台に対して前記圧板部が開いたときに、前記係合手段により前記記録ユニットに対して前記読取ユニットが閉じた状態を規制する規制手段と、を設けることを特徴とする画像読取記録装置。
【請求項４】
前記係合手段は前記記録ユニットと係合可能な爪部を有する回転可能な係合レバーを有し、前記規制手段は前記係合レバーの突き当て部の回転移動を制限するための規制部を有する回転可能な規制レバーを有することを特徴とする請求項３に記載の画像読取記録装置。
【請求項５】
前記係合レバーは外部からの操作によって前記記録ユニットとの係合を解除されることを特徴とする請求項３又は４に記載の画像読取記録装置。
【請求項６】
前記記録ユニットと前記読取ユニットとの間に該読取ユニットの開閉力を軽減するためのダンパユニットが設けられていることを特徴とする請求項１乃至５のいずれか１項に記載の画像読取記録装置。
【請求項７】
前記記録ユニットは、記録ヘッドからインクを吐出することにより被記録材に記録を行うことを特徴とする請求項１乃至６のいずれか１項に記載の画像読取記録装置。
【発明の詳細な説明】
【技術分野】
【０００１】
本発明は、画像情報に基づいて被記録材に画像を記録する記録ユニットと、該記録装置に開閉可能に装着された読取ユニットとを備えた画像読取記録装置に関する。
【背景技術】
【０００２】
近年、画像情報に基づいて記録を行う記録ユニットと原稿を読み取る読取ユニットとを一体化した画像読取記録装置が使用されている。この画像読取記録装置は、モノクロ及びカラー画像を簡単にコピーすることができる点、読取装置部で読み取った画像をパーソナルコンピュータに送信して保存したり、さらには編集することができる点で利便性が高いものである。また、最近では、各種カード型記録メディアを接続可能なカード型記録メディアコネクタを設けて、カード型記録メディアに記録された画像をパーソナルコンピュータを介さずに直接記録画像として出力可能な機種も使用されている。さらに、デジタルカメラを接続することで、デジタルカメラの記録画像を直接記録画像として出力可能など、大変利便性の高い機種も製造されている。
【０００３】
また、画像読取記録装置においては、スキャナ等の画像読取装置及びインクジェット記録装置等の記録装置の機能を備えた多機能を有する機種も低価格で入手可能となり、普及が進んでいる。この分野では、例えば、特許文献１に開示されているようなフラットベッドタイプのスキャナをインクジェットプリンタ等の記録装置の上に載せた形態が主流となっている。この形態では、Ａ４やＬＴＲサイズの原稿を読取可能な広い面積を有する読取ユニット（スキャナユニット）を記録ユニットの上部に装着する構成が採られる。このため、記録ユニットのインクの補充、紙詰まりの処理操作、あるいはその他メンテナンスをするために種々の工夫がなされている。
【０００４】
この種の画像読取記録装置として、記録ユニットと、記録ユニットに開閉可能に装着された読取ユニットと、を備える形態のものが使用されている。読取ユニットは、原稿の画像をＣＣＤ等の読取手段で読み取るものであり、スキャナで構成されている。また、記録ユニットの圧板部は、読取ユニットの原稿台に原稿を押し付けるために該読取ユニットに開閉可能に取り付けられている。図１５〜図１８は上記形態を有する画像読取記録装置の種々の使用時の状態を示す側面図である。図１５は読取ユニットを閉じた状態を示し、図１６は図１５の状態から読取ユニットを開いた状態を示し、図１７は図１５の状態から圧板部を開いた状態を示し、図１８は読取ユニット及び圧板部を共に開いた状態を示す。図１５〜図１８において、記録ユニット１００３の上部に読取ユニット１００２が蓋状をなして構成されている。読取ユニット（スキャナユニット）１００２は、は記録ユニットに対してヒンジ１００２ａを介して開閉可能に装着されている。読取ユニットが開放された図１６の状態では、記録ユニット１００３の内部にアクセス可能な状態となる。つまり、記録ユニットの内部を確認したり、記録ヘッド、インクタンク等を交換したりすることが可能な状態となる。
【０００５】
すなわち、読取ユニット１００２が開放されていることを検出手段で検出すると、記録ユニット１００３のインクタンクを交換するために記録ヘッド及びインクタンクを搭載したキャリッジを装置の中央部の交換位置へ移動させる。この場合、読取ユニット１００２及び圧板部１００６の総重量が大きいため、読取ユニットの開閉力を軽減したり、開放して作業しているときに読取ユニットを支持するためのダンパユニット１００７が設けられている。ダンパユニット１００７は、互いに軸方向にスライド可能な２つの部材の間にバネ１００７１が装填された構造をしている。そして、このダンパユニット１００７は、図１５の読取ユニットが閉じた状態では圧縮され、図１６の読取ユニットが開いた状態では伸びた状態となる。
【特許文献１】特開２００４−２３５８３１号公報
【発明の開示】
【発明が解決しようとする課題】
【０００６】
しかしながら、上記構成の従来の画像読取記録装置では、次のような課題が残されていた。第１の課題としては、図１７に示すように、読取ユニット１００２の原稿台に原稿を押し付けるための圧板部１００６を開いて行くと、圧板部を開放する力による連れ動きの作用が生じる。この連れ動きの作用に、読取ユニット１００２の開閉力の軽減するためのダンパユニット１００７の作用がプラスされ、図１８に示すように、読取ユニットまで不用意に開いてしまうという不都合があった。また、第２の課題としては、読取ユニットまでつれ動きして開くために、記録ユニットの記録ヘッドやインクタンクを搭載したキャリッジが不用意にアクセス可能な交換位置に出てきてしまうという不都合があった。
【０００７】
本発明はこのような課題を解決するためになされたものである。本発明の目的は、圧板部を開放するときの開放する力による連れ動きに、読取ユニットの開閉力を軽減するためのダンパ等の軽減手段の作用がプラスされるような場合でも、記録ユニットに対して読取ユニットが開くことを防止できる画像読取記録装置を提供することである。
【課題を解決するための手段】
【０００８】
本発明の画像読取記録装置は、画像情報に基づいて被記録材に画像を記録する記録ユニットと、該記録ユニットに対して開閉可能に配され、原稿を載置する原稿台と、該原稿台に原稿を押し付ける圧板部と、を有する読取ユニットと、を備えた画像読取記録装置において、前記原稿台に対して前記圧板部が開いたときに、前記記録ユニットに対して前記読取ユニットが開くことを規制する規制手段を設けることを特徴とする。
【０００９】
本発明の画像読取記録装置は、画像情報に基づいて画像を記録する記録ユニットと、該記録ユニットに対して開閉可能に配され、原稿を載置する原稿台と、該原稿台に原稿を押し付ける圧板部と、を有する読取ユニットと、を備えた画像読取記録装置において、前記記録ユニットに対して前記読取ユニットを閉じた状態で係合する係合手段と、前記原稿台に対して前記圧板部が開いたときに、前記係合手段により前記記録ユニットに対して前記読取ユニットが閉じた状態を規制する規制手段と、を設けることを特徴とする。
【発明の効果】
【００１０】
本発明によれば、圧板部を開放するときの開放する力による連れ動きに、読取ユニットの開閉力を軽減するためのダンパ等の軽減手段の作用がプラスされるような場合でも、記録ユニットに対して読取ユニットが開くことを防止できる画像読取記録装置が提供される。
【発明を実施するための最良の形態】
【００１１】
以下、図面を参照して本発明の実施形態を具体的に説明する。なお、各図面を通して同一符号は同一又は対応部分を示すものである。また、参照番号にアルファベットを付した符号は、アルファベットを付さない番号のみの部位を構成する下位の部位を示すものである。
（第１の実施形態）
図１は本発明による画像読取記録装置の一実施形態において読取ユニットを開いた状態を示す斜視図である。図２は図１の画像読取記録装置において読取ユニットを閉じた状態を示す斜視図である。図３は図１の画像読取記録装置において圧板部を開いた状態を示す斜視図である。図４は図１の画像読取記録装置の記録ユニットの内部構造を示す斜視図である。図５は図１の画像読取記録装置の読取ユニットにおいて原稿台及び上カバーを外して示す平面図である。図６は図１の画像読取記録装置の圧板部において上カバー及びパネルカバーを外して示す平面図である。
【００１２】
図２及び図３において、画像読取記録装置は、パネル部１、読取ユニット（スキャナ部）２、記録ユニット３、カードスロット部４、圧板部６及び電気基板部（不図示）を備えている。記録ユニット３は画像情報に基づいて記録ヘッドにより被記録材に画像を記録するように構成されている。記録ユニット３の上部には、ミドルフレーム８１を介して、原稿上の画像を読み取るための読取ユニット２が開閉可能に装着されている。この読取ユニット２は、原稿を載置する原稿台と、原稿台に開閉可能に装着され原稿台に原稿を押し付けるための圧板部と、を備えている。パネル部１は、画像読取記録装置を操作するための操作パネル１１と開閉可能なＬＣＤユニット１２で構成されている。記録ユニット３で使用される被記録材としては、紙、プラスチックシート、写真調シート、布、不織布など、画像記録可能なものであれば、種々の材質のものを使用することができる。これは、読取ユニット２で画像を読み取る原稿の材質についても同様である。本願における画像は、文字や記号などを含む出力可能な全ての像を含む概念である。
【００１３】
先ず、パネル部１について説明する。図２において、パネル部１は、読取ユニット２の圧板部６に装着されている。このパネル部には、開閉可能なＬＣＤユニット１２が設けられている。パネル部１の操作パネル１１には各種操作キー（タクトスイッチ１３等）や表示ランプ等が設けられている。操作キーとしては、例えばカラーコピースタートキー、モノクロコピースタートキー、ストップキー、電源キーなどがある。これらの操作キー１３は、図６に示すように、装置上面から操作可能に操作パネル１１に組み込まれている。操作パネル１１の裏面には、図６に示すようなパネル基板１６が設けられている。パネル基板１６には、操作キー１３のタクトスイッチが半田付け等で固定されている。ＬＣＤユニット１２には、不図示のＬＣＤモジュール及び電気基板が内蔵されており、その表面には透明部材のＬＣＤ窓１２ａが設けられている。ＬＣＤユニット１２は、操作パネル１１に対し、ヒンジ１２ｂを中心に回転（開閉）可能に装着され、ユーザが操作することができる。
【００１４】
次に、読取ユニット２について説明する。図３において、読取ユニット２の上面には、読み取り原稿を載置するための原稿台であるガラス２３が設けられている。原稿はガラス２３上に裏向き（下向き）にセットされる。ガラス２３はカバー１２５により読取ユニット２のフレーム１２０（図３、図５）に上から抑えて組み付けられている。読取ユニット２の上部には、ガラス２３上に載置された原稿の浮きを抑えるための圧板部６が開閉（回動）可能に取り付けられている。この圧板部６には、スポンジフレームユニット６８が取り付けられている。図７は圧板部６のスポンジフレームユニット６８の斜視図である。図８は図７のスポンジフレームユニットにおいてフィルムガイドを取り外した状態を示す斜視図である。
【００１５】
図３、図７及び図８において、スポンジフレームユニット６８は、スポンジ及び白色シートからなる圧板白シートが取り付けられたスポンジフレーム６８ａを備えている。この圧板白シートは、反射原稿を読み取るための圧着シートを構成するものである。また、スポンジフレームユニット６８にはフィルムガイド６８１が収納されている（図７）。このフィルムガイド６８１は、図４に示すように、スポンジフレーム６８ａから取り外すことができる。取り外したフィルムガイド６８１はガラス２３上にセットすることができる。ガラス２３上にセットされたフィルムガイド６８１にネガフィルムをセットし、このネガフィルムを読み取る。パネル部１及びスポンジフレームユニット６８などが組み付けられた圧板部６は、ヒンジ６７を介して、読取ユニット２のカバー１２５の一端部に開閉（回転）可能に取り付けられている。
【００１６】
図６において、圧板部６には、ネガフィルム等の透過原稿を読み取るための光源である蛍光灯６３ａ、６３ｂが取り付けられている。圧板部６には、インバータ６１、反射板６２及び拡散板（不図示）などが取り付けられている。蛍光灯６３ａ、６３ｂが光ることにより、原稿台（ガラス）２３に載置されたフィルムを読み取ることができる。フィルムを読み取る際には、スポンジフレーム６８ａを外してフィルムガイド６８１を使用する。図６に示すように、パネル部１は、反射板６２の装置手前部に、反射板６２の高さの範囲に収まるように配置されている。また、これらの配線は、インバータ６１に対するインバータ線６５、パネル部１に対するパネル線６６のようにそれぞれ個別に設けられ、圧板部６の外へ導出されている。導出された各配線は、それぞれ被覆線６５ａ、６６ａで形成され、再び装置の別の孔部から装置内へ導入されている。以上の圧板部６は、読取ユニット２に対して、圧板ヒンジ６７、６７により、回転可能にかつ上下移動可能に取り付けられている。この圧板部６の上下移動は厚みのあるブック原稿にも対応するためであり、圧板部６は読取ユニット２側の取り付け孔に沿って上下に摺動可能になっている。
【００１７】
図５において、読取ユニット２のＣＣＤ等の読取手段２４は、図示の左端の位置から図示の右端の位置の間でスキャン移動可能に案内支持されている。読取ユニット２を構成する各部品はフレーム１２０に取り付けられている。原稿の画像を読取る読取手段２４は、ガイド軸２５及びガイドレール１２１に沿って往復移動可能に案内支持されている。ＣＣＤ読取手段２４は、駆動モータ１２２を駆動源とし、ギア列１２３により減速された駆動をタイミングベルト２６を介して伝達されることにより駆動される。タイミングベルト２６はギア列１２３の反対側の位置でバネ付勢されて装着されたアイドラプーリ１６１に掛け回されることで、所定の張力を付与されている。こうして、コピーするとき、あるいはＰＣからの指令でスキャン動作をするときに、ＣＣＤ読取手段２４を矢印Ａの方向に駆動する。これに同期して、ＣＣＤ読取手段２４により、ガラス２３を介して原稿の画像を読み取っていく。
【００１８】
次に、記録ユニット３について説明する。図４において、装置の背部には、積載された被記録材を１枚ずつ分離して給送するための給紙部３０１が設けられている。給紙部３０１から給送される被記録材は、搬送ローラ３０２とピンチローラ３０３のニップ部に挟持され、該搬送ローラを駆動することにより画像形成部へ搬送される。画像形成部は、搬送される被記録材を案内するプラテン３０４と、該プラテンと対向する位置で往復移動するキャリッジ３０８に搭載された記録ヘッド３０６とを備えている。キャリッジ３０８には、記録ヘッド３０６とともに交換可能なインクタンク３０７が搭載されている。キャリッジ３０８は、ガイドシャフト３０９及びガイドレール３１０に沿って往復移動可能に案内支持されており、キャリッジモータにより駆動ベルト３１１を対して駆動される。画像形成部においては、キャリッジ３０８の移動（主走査）に同期して、画像情報に基づいて記録ヘッド３０６を駆動することにより、被記録材に対する１ライン分の記録が行われる。１ライン分の記録と搬送ローラ３０２による紙送りとを交互に繰り返すことにより、被記録材全体の記録が行われる。記録された被記録材は、搬送ローラ３０２と同期駆動される排紙ローラ３０５とこれに圧接される拍車（不図示）を通して装置本体外へ排出される。
【００１９】
本実施形態における記録ユニット３はインクジェット記録装置で構成されており、画像情報に基づいて記録ヘッド３０６の吐出口から被記録材へインクを吐出して画像を記録していく。記録ヘッド３０６としては、例えば、インク吐出のための熱エネルギーを発生する手段（例えば電気熱変換体やレーザ光等）を用いるインクジェットヘッドが使用される。このようなインクジェットヘッドは、熱エネルギーによりインクの状態変化を生起させる方式のものであり、記録の高密度化及び高精細化が比較的容易である点で好ましい。その代表的な構成や基本的な原理については、例えば、米国特許第４７２３１２９号明細書、同第４７４０７９６号明細書などに開示されている。
【００２０】
インクジェット記録装置３においては、キャリッジ３０８の移動範囲であって、記録領域から外れた位置（図示の例では右側端部）に、記録ヘッド３０６のインク吐出性能を維持回復するための回復機構部３１２が配設されている。回復機構部３１２には、記録ヘッド３０６の吐出面にキャップ３１３を密着さることでインク吐出部口を覆うキャップ、インク吐出口近傍に付着したインクやほこり等を払拭清掃するワイパー３１７が設けられている。この回復機構部３１２には、さらにキャップ３１３に接続され、キャップ３１３内を負圧にすることにより吐出口からインクと共に気泡や増粘インクを吸い出す吸引ポンプ３２３が設けられている。この吸引ポンプは、開放されたキャップ内に予備吐出されたインクを吸引するためにも使用される。
【００２１】
図１において、読取ユニット２は記録ユニット３に対して開閉可能に取り付けられており、図示のように開くことにより記録ユニット３の内部にアクセスすることができる。つまり、読取ユニット２が開かれると、これを検出することによりキャリッジ３０８が中央部へ移動してくる。これにより、キャリッジ３０８上のインクタンク３０７を交換したり、その他の所望のメンテナンス作業を行うことが可能となる。
【００２２】
図１において、画像読取記録装置内の記録ユニット３の領域にはミドルフレーム８１が設けられており、このミドルフレーム８１と読取ユニット２の底部との間にダンパユニット７が連結されている。ダンパユニット７は、互いに軸方向に摺動可能に嵌合されたダンパベース７１及びダンパアーム７２と、これらの内部に圧縮状態で装着された圧縮ばね７３（図１３）とで構成されている。ダンパアーム７２の上端部は軸部７２ａを介して読取ユニット２の底部に連結されている。また、ダンパベース７１の下端部は同様に回転可能な軸部（不図示）を介してミドルフレーム８１に連結されている。ダンパユニット７は、内蔵された圧縮ばね７３により、読取ユニット２を押し上げる力を発生している。つまり、ダンパユニット７は、読取ユニット２の持ち上げ力を軽減するための開閉力軽減手段を構成している。
【００２３】
読取ユニット２が開放されると、不図示の開放検知手段からＣＰＵに対して読取ユニット開放検知信号が送られる。この検知信号に基づいて、キャリッジモータの駆動により、キャリッジ３０８が記録ユニット３の中央部のインクタンク交換位置へ移動してくる。図１及び図４は、キャリッジ３０８がインクタンク交換位置にあるときの状態を示す。この状態で、インクタンクの交換作業が可能である。そこで、本実施形態では、以下に説明するように、読取ユニット２を閉じた状態に規制可能な規制手段２７を備え、圧板部６が閉じた状態で規制手段２７が解除され、圧板部６が開いた状態で規制手段２７が作動するように構成されている。このような構成によって、圧板部６を開放するときの開放する力による連れ動きに、読取ユニット２の開閉力を軽減するためのダンパユニット７等の開閉力軽減手段の作用がプラスされて、不用意に読取ユニット２が開くことが防止されている。
【００２４】
図９は、本発明の第１の実施形態に係る画像読取記録装置の読取ユニットが閉じられた状態を示し、（ａ）は概略正面断面図であり、（ｂ）は（ａ）中の線ｂ−ｂから見た概略側面断面図である。図１０は、図９の画像読取記録装置の圧板部が開かれた状態を示し、（ａ）は概略正面断面図であり、（ｂ）は（ａ）中の線ｂ−ｂから見た概略側面断面図である。次に、図９及び図１０を用いて、読取ユニット２を閉じた状態に規制（ロック）するための規制手段について説明する。図９及び図１０において、読取ユニット２を閉じた状態に規制するための規制手段２７は、規制レバー２７１と固定フック８１１で構成されている。規制レバー２７１は、画像読取記録装置の左手前側に配置されている。規制レバー２７１は、その中間部の軸２７１ａを介して、読取ユニット２のフレーム１２０に回転可能に軸支されている。
【００２５】
規制レバー２７１は略Ｌ字状をしており、その一方のアーム部には突起部２７１ｂが設けられている。この突起部２７１ａは、ばね２７２により規制レバー２７１が図示時計回りに付勢されると、読取ユニット２のカバー１２５に設けられた開口２７１ｄを通して上方へ突出可能である。また、規制レバー２７１の他方のアーム部は読取ユニット２の開口２７１ｅを通して記録ユニット３のミドルフレーム８１側へ突出しており、このアーム部の先端には、ミドルフレーム８１に固定された固定フック８１１と係合可能な爪部２７１ｃが設けられている。さらに、規制レバー２７１は、ばね（図示の例では圧縮コイルスプリング）２７２により、軸２７１ａを中心に図示時計回りに付勢されている。このため、圧板部６を閉じた状態では、規制レバー２７１の突起部２７１ｂは、ばね２７２により、カバー１２５に設けられた開口２７１ｄを通して、圧板部６の底面（底部）に突き当たっている。突起部２７１ｂが読取ユニット２のカバー１２５から突出する状態は、図３にも示されている。
【００２６】
図９の圧板部６を閉じた状態では、規制レバー２７１に設けられた突起部２７１ｂが圧板部６の底部（底面）によって押し下げられ、レバー２７１はばね２７２に抗して図示反時計回りに回転変位している。このため、レバー２７１の爪部２７１ｃは、記録ユニット３のミドルフレーム８１に設けられた固定フック８１１から離れており、固定フック８１１に引っ掛からない状態になっている。このような図９の状態では、読取ユニット２は、記録ユニット３に対して、回転中心１２０ａを中心に開放（回転）可能である。
【００２７】
図１０に示すように圧板部６を開放した状態では、ばね２７２の付勢力によって、規制レバー２７１は軸２７１ａを中心に回転し、突起部２７１ｂが読取ユニット２のカバー１２５の開口２７１ｄから上方へ突出する。このような位置までレバー２７１が回転すると、該レバーに設けられた爪部２７１ｃが固定フック８１１と引っ掛かった状態（クランプされた状態）になる。これによって、読取ユニット２は、回転中心１２０ａを中心に回転できない状態になる。つまり、圧板部６を開くと、読取ユニット２は閉じた位置に規制（ロック）され開放することができない規制状態となる。
なお、本実施形態における規制手段では、可動側である規制レバー２７１を読取ユニット２側に設ける構成としたが、これを逆にして、可動側である規制レバーを装置本体側（記録ユニットのミドルフレーム８１側）に設ける構成にしても良い。
【００２８】
以上説明した実施形態は、記録ユニット３に開閉可能に装着された読取ユニット２と、読取ユニット２の原稿台２３に原稿を押し付けるために読取ユニット２に開閉可能に取り付けられた圧板部６とを備えた画像読取記録装置に係るものである。本実施形態によれば、読取ユニット２を閉じた状態に規制可能な規制手段２７（レバー２７１、固定フック８１１、ばね２７２等からなる）が設けられている。そして、圧板部６が閉じた状態（図９）では規制手段が解除され、圧板部が開いた状態（図１０）では規制手段が作動するように構成されている。このような構成によれば、圧板部６を開放するときの開放する力による連れ動きに、読取ユニット２の開閉力を軽減するためのダンパユニット７等の軽減手段の作用がプラスされるような場合でも、不用意に読取ユニットが開くことを防止することができる。また、読取ユニット２が開いてしまうことで、記録ユニット３の記録ヘッド３０６やインクタンク３０７を搭載したキャリッジ３０８が不用意に交換位置に出てくることを防止することができる。
【００２９】
（第２の実施形態）
図１１は、本発明の第２の実施形態に係る画像読取記録装置の読取ユニットが閉じられた状態を示し、（ａ）は概略正面断面図であり、（ｂ）は（ａ）中の線ｂ−ｂから見た概略側面断面図である。図１２は、図１１の画像読取記録装置の読取ユニットが閉じられた状態で係合レバーをロック解除位置に操作した状態を示し、（ａ）は概略正面断面図であり、（ｂ）は（ａ）中の線ｂ−ｂから見た概略側面断面図である。図１３は、図１１の画像読取記録装置において圧板部を閉じた状態で読取ユニットを開いた状態を示し、（ａ）は概略正面断面図であり、（ｂ）は（ａ）中の線ｂ−ｂから見た概概側面断面図である。図１４は、図１１の画像読取記録装置において読取ユニットを閉じた状態で圧板部を開いたときの状態を示し、（ａ）は概略正面断面図であり、（ｂ）は（ａ）中の線ｂ−ｂから見た概概側面断面図である。
【００３０】
次に、図１１〜図１４を用いて、第２の実施形態に係る画像読取記録装置における読取ユニット２を閉じた状態にロックするための係合手段及び規制手段について説明する。第２の実施形態では、読取ユニット２を閉じた位置に規制するための手段は、ロック解除手段を兼ねる係合手段２８と、係合手段２８をロック位置に規制するためのロック解除規制用の規制手段２９とで構成されている。係合手段２８及び規制手段２９は、読取ユニット２の回転中心１２０ａの反対側（図示の例では画像読取記録装置の手前側）に配置されている。
【００３１】
係合手段２８は、ロック解除レバーを兼ねた係合レバー２８１を有する。係合レバー２８１は、その中間部の軸２８１ａを介して、読取ユニット２のフレーム１２０に回転可能に軸支されている。係合レバー２８１には、爪部２８１ｂ、操作レバー部２８１ｃ及び突き当て部２８１ｄが設けられている。係合レバー２８１は、係合用ばね（図示の例では圧縮コイルスプリング）２８２により、図示反時計回りに付勢されている。操作レバー部２８１ｃは、開口２８１ｆを通して読取ユニット２の前面から突出しており、ユーザが外部から操作することができる。爪部２８１ｂは、フレーム１２０に形成された開口２８１ｅ及びミドルフレーム８１に形成された開口８１２を通して下方へ延び出し、記録ユニット３側から係合（又は掛止）することで読取ユニット２を閉じ位置にロックできるように配置されている。
【００３２】
規制手段２９は、ロック解除規制用の規制レバー２９１を有する。規制レバー２９１は、その中間部の軸２９１ａを介して、読取ユニット２のフレーム１２０に回転可能に軸支されている。規制レバー２９１には、突き当て部２９１ｂと規制部２９１ｃが設けられている。規制レバー２９１は、規制用ばね（図示の例では圧縮コイルスプリング）２９２により、図示反時計回りに付勢されている。突き当て部２９１ｂは、読取ユニット２のカバー１２５に形成された開口２９１ｄを通して上方へ突出可能であり、圧板部６が閉じているときは規制用ばね２９２の付勢力により圧板６の底部（底面）に突き当たっている。突き当て部２９１ｂが読取ユニット２のカバー１２５から突出する状態は、図１４に示されている。図１１〜図１４の第２の実施形態に係る画像読取記録装置は、その他の点では、前述の第１の実施形態の場合と実質的に同じ構成を有する。
【００３３】
図１１の読取ユニット２及び圧板部６とも閉じている状態では、規制レバー２９１の規制部（ロック解除規制用）２９１ｃは、ロック解除レバーを兼ねる係合レバー２８１の突き当て部２８１ｄの回転軌跡から外れた位置にある。このため、係合レバー２８１は規制レバー２９１とは無関係に回転可能である。そこで、読取ユニット２を開放する場合は、図１２に示すように、係合レバー２８１の操作レバー部２８１ｃを矢印で示す方向に回転させる。そして、図１３に示すように、読取ユニット２を持ち上げることにより、該読取ユニットを開放することができる。つまり、図１２の矢印方向のレバー操作と共に、読取ユニット２をフレーム１２０の回転中心１２０ａを中心に上方へ回転させれば良い。これにより、爪部２８１ｂが開口８１２、２８１ｅのエッジに引っ掛かることなく、該読取ユニットを図１３に示すように開放することができる。
【００３４】
一方、読取ユニット２及び圧板部６とも閉じている図１１の状態から、圧板部６のみを開放するときには、図１４に示すように、規制手段２９によって係合手段２８を係合（掛止）位置に規制することで、読取ユニット２を閉じた状態に規制することができる。すなわち、圧板部６を回転中心１２４ａを中心に回転させて開くと、規制用ばね２９２の付勢力によって規制レバー２９１が軸２９１ａを中心に図示反時計回りに回転する。つまり、突き当て部２９１ｂを押し付けていた圧板部６が上昇するため、ばね２９２の作用によって、突き当て部２９１ｂはカバー１２５の開口２９１ｄを通して上方へさらに移動する。これにより、規制レバー２９１が図示反時計回りに回転し、規制レバー２９１の規制部２９１ｃは図１４に示すように係合レバー２８１の突き当て部２８１ｄの回転軌跡を塞ぐ位置（回転を禁止する位置）へ移動する。
【００３５】
このため、係合レバー２８１は、係合用ばね２８２の付勢力にもかかわらず、図１４の位置から図示時計回りに回転できなくなる。つまり、図１３中の矢印で示すような係合レバー部２８１ｃの操作によっても、操作レバー２８１を図１１の位置から回転させることができなくなる。このため、係合レバー２８１の爪部２８１ｂとミドルフレーム８１の開口８１２のエッジとの引っ掛かりを解除できない状態となり、読取ユニット２は開放不可能となる。このように、本実施形態においても、ダンパユニット７のような読取ユニット２の開放力を軽減するための軽減手段を設ける場合でも、圧板部６を開くときに、その開放力によって読取ユニット２が連れ開きすることを防止することができる。
【００３６】
以上説明した第２の実施形態も、記録ユニット３に開閉可能に装着された読取ユニット２と、読取ユニット２の原稿台２３に原稿を押し付けるために読取ユニット２に開閉可能に取り付けられた圧板部６とを備えた画像読取記録装置に係るものである。そこで、本実施形態では、読取ユニット２を閉じた状態で記録ユニット３と係合可能な係合手段２８と、係合手段２８を記録ユニット３と係合する位置に規制可能な規制手段２９が設けられている。そして、圧板部６を開いた状態で規制手段２９により係合手段２８を記録ユニット３と係合する状態に規制するように構成されている。このような構成によっても、圧板部６を開放するときの開放する力による連れ動きに、読取ユニット２の開閉力を軽減するためのダンパユニット７等の軽減手段の作用がプラスされるような場合でも、不用意に読取ユニットが開くことを防止することができる。また、読取ユニット２が開いてしまうことで、記録ユニット３の記録ヘッド３０６やインクタンク３０７を搭載したキャリッジ３０８が不用意に交換位置に出てくることを防止することができる。
【００３７】
第２の実施形態では、ロック解除手段を兼ねた係合手段２８として、ロック解除レバーを兼ねた係合レバー２８１を用いるレバー方式を採用したが、これは押しボタン方式で構成しても良い。また、本実施形態では、係合レバー２８１を読取ユニット２に設けているが、これは、係合レバー２８１を記録ユニット３側に配置する構成としても良い。
【００３８】
なお、以上の実施形態における記録ユニットとしては、インクジェット式、レーザービーム式、熱転写式、感熱式、ワイヤドット式などの記録方式の如何に関わらず、いずれの記録方式の記録装置でも使用可能である。
【図面の簡単な説明】
【００３９】
【図１】本発明による画像読取記録装置の一実施形態において読取ユニットを開いた状態を示す斜視図である。
【図２】図１の画像読取記録装置において読取ユニットを閉じた状態を示す斜視図である。
【図３】図１の画像読取記録装置において圧板部を開いた状態を示す斜視図である。
【図４】図１の画像読取記録装置の記録ユニットの内部構造を示す斜視図である。
【図５】図１の画像読取記録装置の読取ユニットにおいて原稿台及び上カバーを外して示す平面図である。
【図６】図１の画像読取記録装置の圧板部において上カバー及びパネルカバーを外して示す平面図である。
【図７】図１の画像読取記録装置の圧板部のスポンジフレームユニットの斜視図である。
【図８】図７のスポンジフレームユニットにおいてフィルムガイドを取り外した状態を示す斜視図である。
【図９】本発明の第１の実施形態に係る画像読取記録装置の読取ユニットが閉じられた状態を示す図である。
【図１０】図９の画像読取記録装置の圧板部が開かれた状態を示す図である。
【図１１】本発明の第２の実施形態に係る画像読取記録装置の読取ユニットが閉じられた状態を示す図である。
【図１２】図１１の画像読取記録装置の読取ユニットが閉じられた状態で係合レバーをロック解除位置に操作した状態を示す図である。
【図１３】図１１の画像読取記録装置において圧板部を閉じた状態で読取ユニットを開いた状態を示す図である。
【図１４】図１１の画像読取記録装置において読取ユニットを閉じた状態で圧板部を開いたときの状態を示す図である。
【図１５】従来の画像読取記録装置の読取ユニットを閉じた状態を示す側面図である。
【図１６】図１５の画像読取記録装置において読取ユニットを開いた状態を示す側面図である。
【図１７】図１５の画像読取記録装置において圧板部を開いた状態を示す側面図である。
【図１８】図１５の画像読取記録装置において読取ユニット及びその圧板部を開いた状態を示す側面図である。
【符号の説明】
【００４０】
２          読取ユニット
２３        原稿台（ガラス）
３          記録ユニット
６          圧板部
７          ダンパユニット
２７        規制手段
２７１      規制レバー
２７１ｂ    突起部
２７１ｃ    爪部
２７２      ばね
２８        係合手段（ロック解除手段）
２８１      係合レバー（ロック解除レバー）
２８１ｂ    爪部
２８１ｃ    操作レバー部
２８１ｄ    突き当て部
２８２      係合用ばね
２９        規制手段
２９１      規制レバー
２９１ｂ    突き当て部
２９１ｃ    規制部
２９２      規制用ばね
８１        ミドルフレーム
８１１      固定フック              
【図１】
2008053883.tif 000003
【図２】
2008053883.tif 000004
【図３】
2008053883.tif 000005
【図４】
2008053883.tif 000006
【図５】
2008053883.tif 000007
【図６】
2008053883.tif 000008
【図７】
2008053883.tif 000009
【図８】
2008053883.tif 000010
【図９】
2008053883.tif 000011
【図１０】
2008053883.tif 000012
【図１１】
2008053883.tif 000013
【図１２】
2008053883.tif 000014
【図１３】
2008053883.tif 000015
【図１４】
2008053883.tif 000016
【図１５】
2008053883.tif 000017
【図１６】
2008053883.tif 000018
【図１７】
2008053883.tif 000019
【図１８】
2008053883.tif 000020